(57)【要約】【課題】蝶番の歪みを作業性よく確実に矯正できる蝶番矯正具を提供する。【解決手段】円柱状枢軸部５の外周面に平板状の固定フランジ部７が突設されてなる蝶番３を矯正する蝶番矯正具である。円柱状枢軸部５を挿通させ得る円形状挿通孔２３が貫設されてなる矯正具本体２２に、円形状挿通孔２３に連続する如く、固定フランジ部７の基部側の部分２０を収容するための割り溝２５が設けられている。割り溝２５に対向する両側面３１，３２は、前記固定フランジ部７が当接し得る傾斜面３１ａ，３２ａを有する。割り溝２５の対向する縁部分が、固定フランジ部７の表面を押圧する押圧顎部３７，３９とされている。【選択図】図１５
2015134362.tif 000002
【特許請求の範囲】
【請求項１】
円柱状枢軸部の外周面に平板状の固定フランジ部が突設されてなる蝶番を矯正する蝶番矯正具であって、該固定フランジ部が該円柱状枢軸部の略接線方向に突設されてなる第１型の蝶番と、該固定フランジ部が該円柱状枢軸部の略半径方向に突設されてなる第２型の蝶番の二種類の蝶番を矯正できるものであり、
前記円柱状枢軸部を挿通させ得る円形状挿通孔が貫設されてなる矯正具本体に、該円形状挿通孔に連続する如く、前記固定フランジ部の基部側の部分を収容するための割り溝が設けられており、該割り溝の対向する側面の内の少なくとも一方は、該円形状挿通孔の半径方向で見た内端縁部から外端縁部に向けて該半径方向から離れる側方に向けて傾斜する傾斜面を有する如く形成されており
前記第１型の蝶番の前記円柱状枢軸部を前記円形状挿通孔に挿通させた状態で、前記固定フランジ部が前記傾斜面の所要部位に当接できると共に、前記第２型の蝶番の前記円柱状枢軸部を前記円形状挿通孔に挿通させた状態では、前記固定フランジ部の基部側の部分を前記割り溝に収容でき、
又、前記割り溝の対向する縁部分が前記固定フランジ部の表面を押圧する押圧顎部とされていることを特徴とする蝶番矯正具。
【請求項２】
前記矯正具本体は、その外形が平面視で正六角形を呈する正六角形柱状体として構成されていることを特徴とする請求項１記載の蝶番矯正具。
【請求項３】
前記矯正具本体は、その外形が平面視で正六角形を呈する正六角形柱状体として構成されており、前記円形状挿通孔の中心が、前記正六角形の対向する頂点を結ぶ直線上において該正六角形の中心に対して一方の頂点側に偏心しており、該一方の頂点側を欠切して前記割り溝が設けられていることを特徴とする請求項１記載の蝶番矯正具。
【請求項４】
前記傾斜面は、前記割り溝の対向する両側面の夫々に設けられていることを特徴とする請求項１、２又は３記載の蝶番矯正具。
【請求項５】
前記矯正具体の外周面部に、前記押圧顎部に矯正トルクを与えるための操作杆が突設されていることを特徴とする請求項１〜４の何れかに記載の蝶番矯正具。
【請求項６】
請求項２又は３記載の蝶番矯正具を用いて蝶番を矯正する蝶番矯正方法であって、固定顎部と該固定顎部に対して進退可能の可動顎部を具えるレンチ部にハンドルが突設されてなるレンチの該固定顎部と該可動顎部を、前記矯正具本体の六角形の対向側面にあてがって、該固定顎部と該可動顎部との間で該矯正具本体を挟持し、この状態で該レンチを所要に回転操作し、前記固定フランジ部の前記基部側の部分に対して前記押圧顎部で矯正トルクを与えることを特徴とする蝶番矯正方法。
【請求項７】
請求項１〜５の何れかに記載の蝶番矯正具を用いて旗蝶番を矯正する蝶番矯正方法であって、該旗蝶番は、横長の矩形板状を呈する鋼板の一方の短辺側の部分が円筒状に巻回されて筒部とされ、該鋼板の残りの部分としての平板状の前記固定フランジ部が該筒部で突設されてなる上側の蝶番部材と下側の蝶番部材とを用いて構成され、該上側の蝶番部材の前記筒部と該下側の蝶番部材の前記筒部とが両者の軸線を合わせて上下に積み重ねられ、且つ該上下の筒部に枢軸が挿通されることによって、上下の固定フランジ部が該枢軸回りに回動可能となされており、該蝶番矯正具は磁性材からなり、該蝶番矯正具を、該旗蝶番の下側の蝶番部材に対して装着する際、前記蝶番矯正具と該下側の蝶番部材の下端との間に、該蝶番矯正具を該下側の蝶番部材に吸着保持させるための磁石を介在させることを特徴とする蝶番矯正方法。
【発明の詳細な説明】
【技術分野】
【０００１】
本発明は蝶番矯正具及び蝶番矯正方法に関するものである。より詳しくは、建物等の構築物においてドア等の開閉部材を開閉させるために取り付けられている蝶番の歪みを矯正するために用いられる蝶番矯正具に関するものである。又、該蝶番矯正具を用いる蝶番矯正方法に関するものである。
【背景技術】
【０００２】
集合住宅や一戸建て住宅において、ドア等を建て付けたままの状態で蝶番の歪みを矯正するために用いられる蝶番矯正具の一例として、特許文献１や特許文献２が開示するものが提案されている。
【０００３】
特許文献１に係る蝶番矯正具ａ１は、図３８に示すように、円柱状枢軸部ｂの略接線方向に固定フランジ部ｃが突設されてなる蝶番（以下、第１型の蝶番ｄ１ともいう）ｄの矯正に適合するように構成されており、円柱状を呈する矯正具本体ｅにその軸線に対して稍偏心した状態で、該蝶番ｄの円柱状枢軸部ｂを挿通させるための円形状挿通孔ｆが設けられていた。又該矯正具本体ｅには、該円形状挿通孔ｆの中心に対して半径方向で見て外周側に稍偏心した状態で、前記固定フランジ部ｃの基部側の部分ｇを収容するための割り溝ｈが設けられていた。そして該割り溝ｈの対向する縁部分が、該固定フランジ部ｃを押圧する押圧顎部ｋ，ｋとされており、又前記矯正具本体ｅの外周面部ｍで、該押圧顎部ｋ，ｋに矯正トルクを与えるための操作杆ｎが突設されていた。そして前記矯正具本体ｅの外周面部ｍには、該操作杆ｎを着脱自在に取り付けるための取付部ｑが、該外周面部ｍの周方向に所要間隔を置いて複数設けられていた。
【０００４】
かかる構成の蝶番矯正具ａ１によるときは、図３８示すように、該固定フランジ部ｃが該円柱状枢軸部ｂの略接線方向に突出する（即ち、該円柱状枢軸部ｂの軸線に対して偏心した状態で突出する）如く構成された蝶番ｄの歪み（前記固定フランジ部ｃに生じている曲がり等の歪み）を次のようにして矯正できた。
【０００５】
その矯正の作業工程を説明すれば、該円柱状枢軸部ｂの端部を前記円形状挿通孔ｆに位置合わせし、且つ、歪みが発生している前記固定フランジ部ｃの基部側の部分ｇの端部を前記割り溝ｈに位置合わせした状態で、前記蝶番矯正具ａ１を前記円柱状枢軸部ｂの軸線方向にスライドさせる。これによって図３８に示すように、該円柱状枢軸部ｂが前記円形状挿通孔ｆに挿通状態となり且つ前記固定フランジ部ｃの基部側の部分ｇが前記割り溝ｈに収容状態となる。この状態で前記操作杆ｎを適宜に回転操作し、前記固定フランジ部ｃにその曲りの方向とは逆方向に矯正トルクを与えて該曲りを矯正する。
【０００６】
又特許文献２記載の蝶番矯正具ａ２は、図３９に示すように、円柱状枢軸部ｂの略半径方向に固定フランジ部ｃが突設されてなる蝶番（以下、第２型の蝶番ｄ２ともいう）ｄの矯正に適合するように構成されており、円柱状を呈する矯正具本体ｅに、該蝶番ｄの円柱状枢軸部ｂを挿通させ得る円形状挿通孔ｆが貫設されていた。又、該円形状挿通孔ｆには、その半径方向に、該蝶番ｄの固定フランジ部ｃの基部側の部分ｇを収容するための割り溝ｈが連設されていた。そして該割り溝ｈの対向する縁部分が、該固定フランジ部ｃを押圧する押圧顎部ｋ，ｋとされており、又前記矯正具本体ｅの外周面部ｍで、該押圧顎部ｋに矯正トルクを与えるための操作棒部ｐが突設されていた。
【０００７】
かかる構成を有する蝶番矯正具ａ２を用いて前記固定フランジ部ｃの曲りを矯正するに際しては、図３９に示すように、前記円形状挿通孔ｆに前記円柱状枢軸部ｂを挿通させ且つ前記割り溝ｈに前記固定フランジ部ｃの基部側の部分ｇを収容状態とする。その後、前記操作棒部ｐを適宜に回転操作し、前記固定フランジ部ｃにその曲りの方向とは逆方向に矯正トルクを与えて該曲りを矯正する。
【０００８】
しかしながら特許文献１が開示する蝶番矯正具ａ１によるときは、前記割り溝ｈが前記円形状挿通孔ｆの中心に対して半径方向で見て外側に偏心状態で設けられていたため、前記第２型の蝶番ｄ２を矯正せんとする場合は、その固定フランジ部が薄肉の場合はいざ知らず、該固定フランジ部が、その強度確保上、比較的厚肉く形成されているときは、前記円柱状枢軸部ｂを前記円形状挿通孔ｆに挿通させ且つ該固定フランジ部ｃを前記割り溝ｈに通すということができなかった。詰まり、特許文献１記載の蝶番矯正具ａ１は、通常の場合、前記固定フランジ部ｅが前記円柱状枢着部ｂの略接線方向に突設されてなる前記第１型の蝶番ｄ１の矯正専用のものと言えるのであり、円柱状枢着部ｂの略半径方向に固定フランジ部ｃが突設されてなる前記第２型の蝶番ｄ２については、その矯正を行うことができなかったのである。又、前記特許文献２が開示する蝶番矯正具ａ２は、前記第２型の蝶番ｄ２の矯正専用のものと言え、前記固定フランジ部ｃが前記円柱状枢着部ｂの略接線方向に突設されてなる前記第１型の蝶番ｄ１の矯正は行うことができなかったのである。
【０００９】
ところで、例えば特許文献１記載の蝶番矯正具ｄ１を改変して、前記割り溝ｈの溝幅を図４０に示すように比較的大きく設定された蝶番矯正具ａ３を想定したとすれば、例えば図４１や図４２に示すように、前記第１型の蝶番ｄ１であっても前記第２型の蝶番ｄ２であっても、該蝶番矯正具ａ３を用いて矯正可能となる。しかしながら、割り溝ｈの溝幅を大きくした場合は次のような問題が生じて好ましくない。
【００１０】
即ち、該割り溝ｈの溝幅が大きくなるほど、前記円柱状枢軸部ｂを前記円形状挿通孔ｆに挿通させ且つ前記固定フランジ部ｃを前記割り溝ｈに収容した状態で例えば図４２（Ａ）に示すように前記第２型の蝶番ｄ２の矯正のために前記矯正具本体ｅをその軸線回りに回転させる際、前記固定フランジ部ｃが前記割り溝ｈの押圧顎部ｋ，ｋに当接するまでの遊び回転角度が大きなものとなってしまう。このように遊び回転角度が大きくなると、例えば図４２（Ａ）に示すように、操作杆ｎを矢印で示すように時計回りに回転させて蝶番の曲りを矯正せんとしたとき、該操作杆ｎがドアｒの表面ｓに当たって、それ以上の回転ができなくなって蝶番矯正が不可能となったり、該表面ｓが障害となって蝶番矯正のためのハンドル回転操作を所要に行うことができない場合も生ずる。或いは、ドアｒが周囲の壁よりも奥まっていてドアｒの両側や蝶番取り付け側の壁が大きく張り出しているような場所では、前記操作杆が壁面等に当りやすくなり、その後の矯正ができなくなる問題が生じ易くなる。そのため、前記操作杆ｎを、図４２（Ａ）に示す状態から図４２（Ｂ）に示す状態に前記取付部ｑに対して付け替えなければならなくなるが、かかる付け替え作業は面倒であり、蝶番矯正の作業性を低下させる問題が生ずることとなる。
【００１１】
又、特許文献１、２が開示する蝶番矯正具ａ１は、前記押圧顎部ｋ，ｋが前記固定フランジ部ｃに矯正トルクを与えることができるように、前記矯正具本体ｅの外周面部ｍに操作杆ｎや操作棒部を突設することとし、特に特許文献１にあっては、前記のように、矯正具本体ｅの外周面部ｍに、該操作杆ｎを着脱自在に取り付けるための取付部ｑを該外周面部ｍの周方向に所要間隔をおいて複数設ける構成を採用していた。そのため、蝶番矯正の作業に出向く際に該蝶番矯正具が嵩張るため運搬上の取り扱い性が悪かった。又、矯正具本体に操作杆の端部をねじ込みや溶接等によって固定するための特別な加工を必要としたり、操作杆や操作棒部を部品として必要としたため、蝶番矯正具の製造コストの上昇を招く問題もあった。
【先行技術文献】
【特許文献】
【００１２】
【特許文献１】特開昭６３−１９９１７号公報
【特許文献２】特開平９−１５５７６１号公報
【発明の概要】
【発明が解決しようとする課題】
【００１３】
本発明は、固定フランジ部が円柱状枢軸部の略接線方向に突設されてなる第１型の蝶番と、該固定フランジ部が該円柱状枢軸部の略半径方向に突設されてなる第２型の蝶番の２種類の蝶番を作業性よく確実に矯正できる蝶番矯正具の提供を課題とするものである。又、取り扱い性の向上と製造コストの低減を期し得る蝶番矯正具の提供を課題とするものである。
【課題を解決するための手段】
【００１４】
前記課題を解決するため、本発明は以下の手段を採用する。
本発明に係る蝶番矯正具は、円柱状枢軸部の外周面に平板状の固定フランジ部が突設されてなる蝶番を矯正する蝶番矯正具であって、該固定フランジ部が該円柱状枢軸部の略接線方向に突設されてなる第１型の蝶番と、該固定フランジ部が該円柱状枢軸部の略半径方向に突設されてなる第２型の蝶番の二種類の蝶番を矯正できるものであり、前記円柱状枢軸部を挿通させ得る円形状挿通孔が貫設されてなる矯正具本体に、該円形状挿通孔に連続する如く、前記固定フランジ部の基部側の部分を収容するための割り溝が設けられており、該割り溝の対向する側面の内の少なくとも一方は、該円形状挿通孔の半径方向で見た内端縁部から外端縁部に向けて該半径方向から離れる側方に向けて傾斜する傾斜面を有する如く形成されている。そして、前記第１型の蝶番の前記円柱状枢軸部を前記円形状挿通孔に挿通させた状態で、前記固定フランジ部が前記傾斜面の所要部位に当接できると共に、前記第２型の蝶番の前記円柱状枢軸部を前記円形状挿通孔に挿通させた状態では、前記固定フランジ部の基部側の部分を前記割り溝に収容でき、又、前記割り溝の対向する縁部分が前記固定フランジ部の表面を押圧する押圧顎部とされていることを特徴とするものである。
【００１５】
前記蝶番矯正具において、前記矯正具本体は、その外形を、平面視で正六角形を呈する正六角形柱状体として構成するのがよい。又、前記矯正具本体は、その外形を平面視で正六角形を呈する正六角形柱状体として構成し、前記円形状挿通孔の中心を、前記正六角形の対向する頂点を結ぶ直線上において該正六角形の中心に対して一方の頂点側に偏心させ、該一方の頂点側を欠切して前記割り溝を設けるのがよい。又これらの蝶番矯正具において、前記傾斜面を、前記割り溝の対向する両側面の夫々に設けるのがよい。
【００１６】
前記の各蝶番矯正具において、前記矯正具体の外周面部に、前記押圧顎部に矯正トルクを与えるための操作杆を突設することがある。
【００１７】
本発明に係る蝶番矯正方法は、前記矯正具本体が正六角形柱状体として構成されてなる蝶番矯正具を用いて蝶番を矯正する方法であって、固定顎部と該固定顎部に対して進退可能の可動顎部を具えるレンチ部にハンドルが突設されてなるレンチの該固定顎部と該可動顎部を、前記矯正具本体の六角形の対向側面にあてがって、該固定顎部と該可動顎部との間で該矯正具本体を挟持し、この状態で該レンチを所要に回転操作し、前記固定フランジ部の前記基部側の部分に対して前記押圧顎部で矯正トルクを与えることを特徴とするものである。
【００１８】
又本発明に係る蝶番矯正方法の他の態様は、前記の各蝶番矯正具を用いて旗蝶番を矯正する蝶番矯正方法であって、該旗蝶番は、横長の矩形板状を呈する鋼板の一方の短辺側の部分が円筒状に巻回されて筒部とされ、該鋼板の残りの部分としての平板状の前記固定フランジ部が該筒部で突設されてなる上側の蝶番部材と下側の蝶番部材とを用いて構成され、該上側の蝶番部材の前記筒部と該下側の蝶番部材の前記筒部とが両者の軸線を合わせて上下に積み重ねられ、且つ該上下の筒部に枢軸が挿通されることによって、上下の固定フランジ部が該枢軸回りに回動可能となされており、該蝶番矯正具は磁性材からなり、該蝶番矯正具を、該旗蝶番の下側の蝶番部材に対して装着する際、前記蝶番矯正具と該下側の蝶番部材の下端との間に、該蝶番矯正具を該下側の蝶番部材に吸着保持させるための磁石を介在させることを特徴とするものである。
【発明の効果】
【００１９】
(1) 本発明に係る蝶番矯正具は、円柱状枢軸部の外周面に平板状の固定フランジ部が突設されてなる蝶番を矯正するものであり、該円柱状枢軸部を挿通させ得る円形状挿通孔が貫設されてなる矯正具本体に、該円形状挿通孔に連続する如く該固定フランジ部の基部側の部分を収容するための割り溝が設けられており、該割り溝の対向する側面の内の少なくとも一方は、前記円形状挿通孔の半径方向で見た内端縁部から外端縁部に向けて該半径方向から離れる側方に向けて傾斜する傾斜面を有する如く構成されている。そして、該割り溝の対向する縁部分が前記固定フランジ部の表面を押圧する押圧顎部とされている。
【００２０】
かかることから本発明によるときは、固定フランジ部が円柱状枢軸部の略接線方向に突設されてなる第１型の蝶番と該固定フランジ部が該円柱状枢軸部の略半径方向に突設されてなる第２型の蝶番の２種類の蝶番を作業性よく確実に矯正できることとなる。
【００２１】
特に、該第２型の蝶番の矯正を作業性よく確実に行い得る点に本発明の大きな特徴があるが、これは、前記割り溝の対向する側面の内の少なくとも一方が傾斜面を有する如く構成されていて該割り溝の溝幅をより小さく設定できることに起因するものであり、該第２型の蝶番を矯正する際における、前記固定フランジ部が前記割り溝の前記対向側面に当接するまでの蝶番矯正具の軸線回りの遊び回転角度を小さく抑制できるからである。
【００２２】
この点についてより詳しく説明すれば、このように遊び回転角度を小さく抑制できることから、蝶番に装着された蝶番矯正具を例えばモンキーレンチやスパナ等の工具で回転操作する際、そのハンドルが壁面やドア面に当ったり接近状態となってその後の工具の回転操作を所要に行うことができなくなるといった不具合を極力回避でき、それ故本発明によるときは、蝶番矯正具に対してモンキーレンチ等を付け替えなければならないといった面倒で手間のかかる作業を極力回避でき、前記第２型の蝶番の矯正を作業性よく確実に行い得るのである。
【００２３】
(2) 特に前記矯正具本体を、その外形が平面視で正六角形状を呈する正六角形柱状体として構成するときは、特許文献１、２に係る蝶番矯正具とは異なり、矯正具本体に操作杆や操作棒部が突設されていなくても、例えばモンキーレンチやスパナ等としての一般の工具を用いて蝶番矯正具を簡単に回転操作できる。
【００２４】
このように構成するときは、操作杆等が突設されていない小型の蝶番矯正具を運べばよいため、運搬上の取り扱い性に優れる蝶番矯正具を提供できることとなる。又、矯正具本体に操作杆の端部をねじ込みや溶接等によって固定するための特別な加工を必要とせず、しかも、夫々の矯正具本体に操作杆等を付設する必要がないために材料費を節減できることによって、蝶番矯正具の製造コストの低減を期し得ることとなる。
【００２５】
(3) 前記傾斜面を前記割り溝の対向する両側面の夫々に設ける場合は、該遊び回転角度をより小さく抑制できるため、前記第２型の蝶番の矯正作業性をより向上させることができる。
【００２６】
(4) 本発明に係る蝶番矯正方法は、前記矯正具本体が正六角形状を呈する蝶番矯正具を用いるため、特許文献１、２に係る蝶番矯正具とは異なり、矯正具本体に操作杆や操作棒部が突設されていなくても、モンキーレンチ等のレンチやスパナ等の、前記矯正具本体を挾持し得る一般の工具を用いて蝶番矯正具を所要に回転操作して、蝶番矯正を簡易に行うことができる。そして、蝶番矯正の作業に出向く際は、該蝶番矯正具が小形であるために嵩張らず、運搬上の取り扱い性にも優れる。
【００２７】
(5) 前記矯正具本体を、その外形が平面視で正六角形状を呈する正六角形柱状体として構成し、前記円形状挿通孔の中心を、前記正六角形の対向する頂点を結ぶ直線状において該正六角形の中心に対して一方の頂点側に偏心させ、該一方の頂点側を欠切して前記割り溝を構成し、又、該割り溝の溝幅の中心が該直線上に存する如く構成する場合は、該割り溝の両側部分の肉厚をより小さく設定できる。そのため、前記固定フランジ部の基部側の部分の突出量が比較的小さい場合であっても、前記円柱状枢軸部を前記円形状挿通孔に挿通状態となし得ることとなる。従って、蝶番矯正具による蝶番矯正の範囲を拡大できることとなる。
【００２８】
(6) 本発明に係る蝶番矯正具を旗蝶番の下側の蝶番部材に対して装着する際、前記蝶番矯正具と該下側の蝶番部材の下端との間に、該蝶番矯正具を該下側の蝶番部材に吸着保持させるための磁石を介在させるときは、該蝶番矯正具の落下の危険を回避し易く、蝶番矯正作業の安全性向上を期し得る。
【図面の簡単な説明】
【００２９】
【図１】本発明に係る蝶番矯正具と、固定フランジ部が円柱状枢軸部の略接線方向に突設されてなる第１型の蝶番（旗蝶番）の取り付け状態を説明する斜視図と、第１型の蝶番の取り付け状態を説明する断面図である。
【図２】第１型の蝶番の取り付け状態を示す斜視図と、第１型の蝶番を構成する上側の蝶番矯正具と下側の蝶番部材を示す平面図である。
【図３】固定フランジ部が円柱状枢軸部の略半径方向に突設されてなる第２型の蝶番（旗蝶番）の取り付け状態を示す斜視図と、第２型の蝶番の取り付け状態を示す断面図である。
【図４】その蝶番の取り付け状態を示す斜視図と、その蝶番を構成する上側の蝶番部材と下側の蝶番部材を示す平面図である。
【図５】蝶番矯正具を示す斜視図と、その平面図と、その部分拡大図である。
【図６】第１型の蝶番の上側の蝶番部材に蝶番矯正具を装着した状態を示す平面図である。
【図７】第２型の蝶番部材の上側の蝶番部材に蝶番矯正具を装着した状態を示す平面図である。
【図８】第１型の蝶番の上側の蝶番部材に蝶番矯正具を装着した状態を示す斜視図である。
【図９】モンキーレンチで蝶番矯正具を回転操作することによって第１型の蝶番を矯正する作業工程の一例を説明する平面図である。
【図１０】その他の作業工程を説明する平面図である。
【図１１】蝶番矯正具の他の態様を示す斜視図と、その問題点を説明する平面図である。
【図１２】その蝶番矯正具をモンキーレンチで回転操作して第１型の蝶番を矯正している状態を示す平面図である。
【図１３】第１型の蝶番の下側の蝶番部材に対して蝶番矯正具を装着した状態を示す斜視図とその平面図である。
【図１４】第２型の蝶番をモンキーレンチで所要に回転させることによって蝶番矯正を行っている状態を示す断面図である。
【図１５】割り溝の対向する側面が円形状挿通孔の半径方向と平行する面として構成された仮想の蝶番矯正具を示す斜視図と、その平面図と、これを旗蝶番の上側の蝶番部材に装着し、該蝶番矯正具をモンキーレンチで所要に回転操作して蝶番矯正を行っている状態を示す平面図である。
【図１６】第２型の蝶番の矯正を行っている状態を示す平面図である。
【図１７】割り溝の対向する側面が円形状挿通孔の半径方向と平行する面として構成された仮想の蝶番矯正具の遊び回転角度を示す説明図である。
【図１８】本発明に係る蝶番矯正具の遊び回転角度を示す説明図である。
【図１９】仮想の蝶番矯正具を用いて蝶番矯正を行う場合の問題点を説明する説明図である。
【図２０】仮想の蝶番矯正具に対してモンキーレンチを付け替えた状態を示す平面図である。
【図２１】本発明の蝶番矯正具を用いて蝶番矯正具を行う利点を説明する説明図である。
【図２２】普通蝶番の取り付け状態と、これを矯正するための蝶番矯正具を示す斜視  図と、普通蝶番の取り付け状態を示す断面図である。
【図２３】普通蝶番の構成を説明する正面図である。
【図２４】普通蝶番を矯正できる蝶番矯正具を示す斜視図とその平面図である。
【図２５】普通蝶番に対して蝶番矯正具を装着した状態と、蝶番矯正具による普通蝶番の矯正状態を示す平面図である。
【図２６】その蝶番矯正具を第１型の蝶番と第２型の蝶番に装着した状態を示す平面図である。
【図２７】割り溝の対向する側面の内の一方にのみ傾斜面を有する蝶番矯正具を示す斜視図と平面図である。
【図２８】その蝶番矯正具を用いて第１型の蝶番を矯正する矯正作業を説明する平面図である。
【図２９】その蝶番矯正具を用いて第２型の蝶番を矯正する矯正作業を説明する平面図である。
【図３０】矯正具本体が円柱状に構成されてなる蝶番矯正具を示す斜視図である。
【図３１】矯正具本体が四角柱状に構成されてなる蝶番矯正具を示す斜視図である。
【図３２】矯正具本体が六角形柱状を呈する蝶番矯正具のその他の態様を示す斜視図である。
【図３３】蝶番矯正具が蝶番に装着された状態で、固定フランジ部が傾斜面の内端部位に当接した状態を示す平面図である。
【図３４】前記傾斜面が円弧状の傾斜突面として構成された場合において、固定フランジ部が該傾斜突面の一部分に当接している状態を示す平面図である。
【図３５】矯正具本体の外周面部に操作杆を突設した場合の一例を示す斜視図である。
【図３６】固定フランジ部が、円柱状枢軸部に略接線方向で突設された蝶番部材の他の態様を示す平面図である。
【図３７】固定フランジ部が、円柱状枢軸部に略半径方向で突設された他の態様を示す平面図である。
【図３８】従来の蝶番矯正具の一例を示す平面図である。
【図３９】従来の蝶番矯正具の他の例を示す平面図である。
【図４０】割り溝の溝幅が比較的大きく設定された仮想の蝶番矯正具を第１型の蝶番に装着した状態を示す平面図である。
【図４１】仮想の蝶番矯正具を第２型の蝶番に装着した状態を示す平面図である。
【図４２】仮想の蝶番矯正具を用いて第２型の蝶番を矯正する場合の問題点を説明する説明図である。
【発明を実施するための形態】
【実施例１】
【００３０】
図１、図３において本発明に係る蝶番矯正具１は、建物等の構築物においてドア２ａ等としての開閉部材２を開閉させるために取り付けられている蝶番３の歪みを矯正するために用いられるものであり、該蝶番３は、本実施例においてはドア用の金属製の旗蝶番３ａとして構成されている。
【００３１】
該蝶番矯正具１は、本実施例においては図１〜２に示すような、円柱状枢軸部５の外周面６に平板状の固定フランジ部７が突設されてなる蝶番であって該固定フランジ部７が該円柱状枢軸部５の略接線方向に突設されてなる第１型の蝶番３Ａと、該固定フランジ部７が該円柱状枢軸部５の略半径方向に突設されてなる第２型の蝶番３Ｂの２種類の蝶番の矯正が可能となされている。
【００３２】
該第１型の蝶番３Ａは、例えば図１〜２に示すように、横長の矩形板状を呈する鋼板の一方の短辺側の部分が円筒状に巻回されて筒部１１とされ、該鋼板の残りの部分としての平板状の前記固定フランジ部７が該筒部５の略接線方向に突設されてなり、該固定フランジ部７に所要個数のビス孔１２が設けられてなる上側の蝶番部材１３と下側の蝶番部材１５とを用いて構成されている。そして、夫々の蝶番部材１３，１５の前記筒部１１，１１が両者の軸線を合わせて上下に積み重ねられ、且つ該上下の筒部１１，１１に枢軸１６が挿通されることによって、上下の固定フランジ部７，７が該枢軸１６回りに回動可能となされている。
【００３３】
かかる構成を有する旗蝶番３ａにあっては、上下に積み重なった状態にある前記管部１１，１１に前記枢軸１６が挿通された部分が前記円柱状枢軸部５を構成しており、前記２枚の固定フランジ部７，７が、該円柱状枢軸部５を両側から挾んだ状態で、該円柱状枢軸部５の略接線方向に突設されている。
【００３４】
図１は、かかる構成を有する蝶番（旗蝶番３ａ）３によってドア２ａをドア枠１８に開閉可能に取り付けた状態を示しており、一方の蝶番部材（上側の蝶番部材）１３の前記固定フランジ部７がドア２ａの基端側面部１７にビス固定されると共に、他方の蝶番部材（下側の蝶番部材）１５の前記固定フランジ部７が壁側に存するドア枠１８の側面部１９（図２）にビス固定される。このようにして該基端側面部１７の上下に前記蝶番３が取り付けられることにより、該ドア２ａが該蝶番３を介して開閉可能となされている。そして図１においては、該蝶番３がドア２ａとドア枠１８に取り付けられた状態で、前記固定フランジ部７の基部側の部分２０（図１（Ｂ））がドア面（ドア２ａの内外の何れかの面）２１から稍突出した状態にある。
【００３５】
又図３〜４は前記第２型の蝶番３Ｂの一例を示すものであり、横長の矩形板状を呈する鋼板の一方の短辺側の部分が円筒状に巻回されて筒部１１とされ、該鋼板の残りの部分としての平板状の固定フランジ部７が該筒部１１の略半径方向に突設されてなり、該固定フランジ部７に所要個数のビス孔１２が設けられてなる上側の蝶番部材１３と下側の蝶番部材１５を用いて構成されている。そして、夫々の蝶番部材１３，１５の前記管部１１，１１が両者の軸線を合わせて上下に積み重ねられ、且つ該上下の管部１１，１１に枢軸１６が挿通されることによって、上下の固定フランジ部７，７が該枢軸１６回りに回動可能となされている。そして図３においても、蝶番３がドア２ａとドア枠１８に取り付けられた状態で、前記固定フランジ部７の基部側の部分２０（図３（Ｂ））がドア面２１から稍突出した状態にある。かかる構成を有する旗蝶番３ａにあっては、上下に積み重なった状態にある前記管部１１，１１に前記枢軸１６が挿通された部分が前記円柱状枢軸部５を構成している。
【００３６】
前記第１型の蝶番３Ａと前記第２型の蝶番３Ｂを矯正するための前記蝶番矯正具１は、本実施例においては磁性材からなり、例えば鋼製のものであって、図１、図２、図５、図６、図７に示すように、前記円柱状枢軸部５の全長に略等しい長さに形成された矯正具本体２２を用いて構成されている。該矯正具本体２２は、その外形が平面視で正六角形を呈する正六角形柱状体として構成されており、前記円柱状枢軸部５を挿通させ得る円形状挿通孔２３が該矯正具本体２２の軸線Ｌ１（図５（Ａ））方向に貫設されている。そして該円形状挿通孔２３に連続する如く、前記固定フランジ部７の基部側の部分２０を収容するための割り溝２５が該矯正具本体２２に設けられている。なお、前記円形状挿通孔２３の径は、市販蝶番の寸法上のバラツキを考慮して設定されている。図５〜７においては、円形状挿通孔２３の径が、前記円柱状枢着部５の径よりも稍大きく図示されている。
【００３７】
本実施例においては図５（Ｂ）に示すように、前記円形状挿通孔２３の中心２６が、正六角形の対向する頂点２７ａ，２７ｂを結ぶ直線２９上において該正六角形の中心２８に対して一方の頂点２７ａ側に偏心している。そして、該一方の頂点２７ａ側を欠切して前記割り溝２５が設けられており、該割り溝２５の溝幅の中心３０が該直線２８上に存する。
【００３８】
又本実施例においては図５（Ｃ）に示すように、前記割り溝２５の左右対向する側面３１，３２の夫々は、前記円形状挿通孔２３の半径方向で見た内側の部分が、前記直線２８と平行する面２４として形成されると共に、該半径方向で見た外側の部分が、内端縁部３３から外端縁部３５に向けて該半径方向Ｆ１から離れる側方Ｆ２に傾斜する傾斜面３１ａ，３２ａを有する如く形成されている。
【００３９】
そして図６に示すように、前記第１型の蝶番３Ａの前記円柱状枢軸部５を前記円形状挿通孔２３に挿通させた状態で、前記固定フランジ部７が前記傾斜面３１ａ又は前記傾斜面３２ａに略面接触状態に当接するように構成されている。又図７が示すように、前記第２型の蝶番３Ｂの前記円柱状枢軸部５を前記円形状挿通孔２３に挿通させた状態で、前記固定フランジ部７の基部側の部分２０を前記割り溝２５に収容できるように構成されている。そして図５（Ｃ）に示すように、前記割り溝２５の対向する縁部分が前記固定フランジ部７の表面を押圧する押圧顎部３７，３９とされている。前記内側の部分を前記直線２８と平行する面２４として形成しているのは、該押圧顎部３７，３９を補強するためである。
【００４０】
ここで、前記構成を有する蝶番３の主要部の寸法を例示する。前記第１型、第２型の蝶番３Ａ，３Ｂについては、前記蝶番部材１３，１５を構成する鋼板の厚さが３ｍｍ程度に、前記円柱状枢軸部５の径が８ｍｍ程度でその全長が１０６ｍ程度に、前記固定フランジ部７，７の突出長さが４２ｍｍ程度でその上下長さが５０ｍｍ程度に、その厚さが３ｍｍ程度に設定されている。又、前記蝶番矯正具１の主要部の寸法を例示すれば、前記矯正具本体２２の六角形の一辺の長さが１６ｍｍ程度に、六角形の対向する頂点２７ａ，２７ｂ間の距離が３０ｍｍ程度に、該矯正具本体２２の全長は６５ｍｍ程度に、前記円形状挿通孔２３の径は１９ｍｍ程度に、前記偏心量が２．５ｍｍ程度に設定されると共に、前記割り溝２５の溝幅（前記内端縁部３３，３３間の間隔）が７ｍｍ程度に比較的小さく設定されている。そして、前記押圧顎部３７，３９の、前記外端縁部３５を通る、前記半径方向Ｆ１で見た厚さが２ｍｍ程度に、前記割り溝２５の対向する内端縁部３３，３３を通る直線に対する前記傾斜面３１ａ，３２ａの傾斜角度θが３０度程度に設定されており、該傾斜面３１ａ，３２ａの傾斜方向で見た幅が２ｍｍ程度に設定されている。
【００４１】
次に、かかる構成を有する蝶番矯正具１を用いて前記第１型の蝶番３Ａと前記第２型の蝶番３Ｂの前記固定フランジ部７の歪み、特に曲りを矯正する作業工程を説明する。
【００４２】
図８〜９は、第１型の蝶番（旗蝶番）３Ａの前記固定フランジ部７の曲りを矯正する場合を示すものであり、前記円柱状枢軸部５の上側部分５ａの上端を前記円形状挿通孔２３の下端に位置合わせし、且つ、該固定フランジ部７の前記基部側の部分（前記固定フランジ部７の、前記ドア面２１から稍突出した部分）２０の上端を前記割り溝２５の下端に位置合わせした状態で、前記蝶番矯正具１を前記円柱状枢軸部５の軸線方向下方にスライドさせる。これにより、該円柱状枢軸部５の上側部分５ａが該円形状挿通孔２３に挿通され、且つ、前記固定フランジ部７の基部側の部分２０が前記割り溝２５に収容状態となされる。そして本実施例においては、前記傾斜面３１ａの略全体が該固定フランジ部７に当接できる。図９においては該固定フランジ部７が該傾斜面３１ａの略全体に当接した状態が示されている。このようにして蝶番矯正具１を蝶番３に装着状態となし得る。なお、前記上側部分５ａは前記円柱状枢軸部５の一部をなすため、該上側部分５ａを円柱状枢軸部ということもある。
【００４３】
この装着状態で、工具４０を用いて、該蝶番矯正具１をその軸線Ｌ１（図８）回りで時計回りや反時計回りに適宜回転させ、前記押圧顎部３７又は前記押圧顎部３９で、前記固定フランジ部７に対して前記曲り方向とは逆方向に矯正トルクを与え、直り具合を見ながら該固定フランジ部７の曲りを矯正する。
【００４４】
前記工具４０としては、例えば図９に示すモンキーレンチ４０ａ等としてのレンチやスパナ等、前記矯正具本体２２を挾持し得る一般の工具を用いることができるが、モンキーレンチ４０ａを用いるのが好ましい。該モンキーレンチ４０ａは、レンチ部４１がハンドル４２に対して傾いた状態で設けられており、該レンチ部４１は、固定顎部４３と、これに対して進退可能の可動顎部４５を具える。そして該可動顎部４５と該固定顎部４３との間隙４６を、ラック４７に噛み合うウオ−ム４９を具える間隙調整機構５０で調整可能とされている。
【００４５】
図９は、前記ウオ−ム４９を指先で回転させることにより前記可動顎部４５の位置を調整して、前記矯正具本体２２の六角形の対向側面５１，５２を前記固定顎部４３と前記可動顎部４５に当接させ、両者間で前記矯正具本体２２を挾持した状態を示している。
【００４６】
前記第１型の蝶番３Ａを矯正するに際しては、前記固定フランジ部７に対して前記曲り方向とは逆方向に矯正トルクを与えるのであるが、図９は、同図に矢印で示す反時計回りに前記ハンドル４２を回転させている状態を示す。同図においては、右側に存する押圧顎部３７の前記傾斜面３１ａが前記固定フランジ部７の一方の表面５３に当接した状態で該押圧顎部３７が該固定フランジ部７の基部側の部分２０に右方向に矯正トルクを与え、これによって該固定フランジ部７の曲りを矯正せんとしている。
【００４７】
図１０は、前記第１型の蝶番３Ａを矯正するに際し、前記固定フランジ部７に対して前記曲り方向とは逆方向に矯正トルクを与えるために、同図に矢印で示す時計回りに前記ハンドル４２を回転させている状態を示す。同図においては、左側に存する押圧顎部３９の前記傾斜面３２ａの内端縁部３３が前記固定フランジ部７の他方の表面（前記一方の表面５３の裏面）５５に当接した状態で該押圧顎部３９が該固定フランジ部７の基部側の部分２０に左方向に矯正トルクを与え、これによって該固定フランジ部７の曲がりを矯正せんとしている。
【００４８】
特に本実施例においては、前記のように、前記円形状挿通孔２３の中心２６を前記矯正具本体２２の正六角形の中心２８に対して前記割り溝２５側に偏心させているため、前記ドア面２１からの前記固定フランジ部７の基部側の部分２０の突出量が比較的小さい場合であっても、前記円柱状枢軸部５を前記円形状挿通孔２３に挿通状態となし得る。
【００４９】
もしも図１１（Ａ）に示すように、前記円形状挿通孔２３の軸線Ｌ２が六角形柱状を呈する前記矯正具本体２２の軸線Ｌ１に合致しているときは、前記押圧顎部３７や押圧顎部３９の厚さＬ３が厚くなる。そのため、前記ドア面２１からの前記固定フランジ部７の基部側の部分２０の突出量が比較的小さい場合は、例えば図１１（Ｃ）に示すように、前記矯正具本体２２がドア枠１８の表面５６やドア面２１に当たって前記円柱状枢軸部５を前記円形状挿通孔２３に挿通させることができないか、或いは、擦れた状態になってドア枠の表面５６やドア面２１を損傷する恐れがある。前記円形状挿通孔２３の中心２６を前記のように偏心させて前記押圧顎部３７，３９の厚さＬ３を薄くすることによって（図１１（Ｂ）、かかる問題点を回避できるのである。図１１（Ｃ）は、前記矯正具本体２２の正六角形の頂点２７ｃがドア枠の表面５６に当たって前記円柱状枢軸部５を前記円形状挿通孔２３に挿通させることができない状態を示している。
【００５０】
勿論、前記円形状挿通孔２３の軸線Ｌ２と六角形柱状を呈する前記矯正具本体２２の軸線Ｌ１とが合致している蝶番矯正具１（図１１（Ａ））であっても、前記固定フランジ部７の基部側の部分２０の突出量が大きい場合は、例えば図１２に示すように、前記蝶番矯正具１を蝶番３に正しく装着でき、該蝶番３を支障なく矯正できる。
【００５１】
図１３は、前記旗蝶番３ａの下側に配置されている蝶番部材１５を矯正するために前記蝶番矯正具１を該下側の蝶番部材１５の前記円柱状枢軸部５に装着した状態を示しており、前記円形状挿通孔２３に前記円柱状枢軸部５の下側部分５ｂが挿通されると共に前記固定フランジ部７の基部側の部分２０が前記割り溝２５に収容されている。なお、該下側部分５ｂは前記円柱状枢軸部５の一部をなすため、該下側部分５ｂを円柱状枢軸部ということもある。
【００５２】
この場合も前記と同様にして、図１３（Ｂ）に示すように、例えばモンキーレンチ４０ａとしての工具４０を用いて蝶番の歪みを所要に矯正できることとなる。なお、該蝶番の矯正の際は、該蝶番矯正具１が落下しないようにこれを片方の手で保持しながら、他方の手で、前記と同様にして矯正具本体２２を挾持したモンキーレンチ４０ａを時計回りや反時計回りに適宜に回転させる。
【００５３】
図１４は、前記第２型の蝶番３Ｂの歪みを前記蝶番矯正具１を用いて矯正する場合を示すものである。その一例として図１４（Ａ）には、上側の蝶番部材１３に蝶番矯正具１を装着して蝶番３を矯正する場合が示されており、前記円形状挿通孔２３に前記円柱状枢軸部５が挿通されると共に前記固定フランジ部７の基部側の部分２０が前記割り溝２５に収容されている。
【００５４】
この状態で、前記蝶番矯正具１を、例えばモンキーレンチ４０ａとしての工具４０を用いて時計回りや反時計回りに回転させる。この回転は、前記割り溝２５の対向する側縁部分としての押圧顎部３７，３９が、前記固定フランジ部７の一方の表面５３又は他方の表面５５に対して前記曲り方向とは逆方向に矯正トルクを与える如く行われるのであるが、前記割り溝２５の溝幅が前記のように比較的小さく設定されているため、蝶番矯正を作業性よく行うことができる。
【００５５】
もしも図１５（Ａ）（Ｂ）に示すように、前記割り溝２５の対向する側面３１，３２を、前記円形状挿通孔２３の半径方向と平行する面３１ｂ，３２ｂとして構成したとすれば、即ち、前記傾斜面３１ａ，３２ａの外端縁部３５，３５間の間隔を割り溝２５の溝幅とするように前記半径方向Ｆ１と平行する面として構成したとすれば、図１５（Ｃ）に示すように、前記第１型の蝶番３Ａに対して、該仮想の蝶番矯正具１ａを無理なく装着できる。勿論、図１６に示すように、前記第２型の蝶番３Ｂに対しても該仮想の蝶番矯正具１ａを無理なく装着できる。
【００５６】
しかしながら、前記割り溝２５の対向する側面３１，３２を前記半径方向Ｆ１と平行する面３１ｂ，３２ｂとして構成したときは、該側面３１，３２を傾斜面３１ａ，３２ａとして構成した場合に比して前記割り溝２５の溝幅が大きくなる。そのため、前記第２型の蝶番３Ｂを矯正せんとする際、前記固定フランジ部７が前記割り溝２５の対向側面３１，３２に当接するまでの前記蝶番矯正具１の軸線回りの遊び回転角度θについて見た場合、図１７と図１8 の比較から明らかなように、対向する側面３１，３２が前記平行する面３１ｂ，３２ｂである場合（図１７）の方が、該対向する側面３１，３２が傾斜面３１ａ，３２ａを有する場合（図１８）に比して大きくなる。なお図１７と図１８において、蝶番矯正具１は、前記円形状挿通孔２３に挿入状態にある前記円柱状枢軸部５の中心５８回りに回転できる。そして、一点鎖線で示す蝶番矯正具１は中立状態を示し、太い実線で示す蝶番矯正具１は、前記左側の押圧顎部３９が、中立状態から時計回りに回転して前記固定フランジ部７に当接した状態を示し、細い実線で示す蝶番矯正具１は、前記右側の押圧顎部３７が、中立状態から反時計回りに回転して前記固定フランジ部７に当接した状態を示している。
【００５７】
ここで、前記割り溝２５の対向する側面３１，３２が、前記円形状挿通孔２３の半径方向と平行する面として構成されていて前記遊び回転角度θが大きい前記仮想の蝶番矯正具１ａを用いて前記第２型の蝶番３Ａの矯正を行う場合の問題点の一例を説明する。かかる構成の蝶番矯正具１ａによるときは、例えば集合住宅において、ドア２ａの両側や蝶番取り付け側の壁が大きく張り出している場所にあっては、前記第２型の蝶番３Ｂの矯正を作業性よく行うことができない問題があった。
【００５８】
図１９は、ドア２ａの蝶番取り付け側の壁５７が大きく張り出している場所において、モンキーレンチ４０ａとしての工具４０を用いて前記第２型の蝶番３Ｂの矯正を行う作業要領を説明するものである。同図は、前記第２型の蝶番３Ｂの例えば上側の蝶番部材１５の円柱状枢軸部５ａに前記仮想の蝶番矯正具１を装着し、矯正具本体２２ａの正六角形の対向側面３１，３２にモンキーレンチ４０ａの前記固定顎部４３と前記可動顎部４５をあてがって両者間で該矯正具本体２２を挾持した状態を示している。今、該モンキーレンチ４０ａのハンドル４２を図１９に矢印で示す反時計回りに回転させて蝶番の曲りを矯正せんとしたときは、前記のように遊び回転角度θが大きいために、前記ハンドル４２が壁５７に当たってそれ以上の回転ができなくなって蝶番矯正が不可能となったり、或いは図１９に示すように、張り出している壁５７が障害となって、蝶番矯正のためのハンドル回転操作を所要に行うことができない場合も生ずる。
【００５９】
このような場合は、例えば図２０に示すように、前記上側の蝶番部材１５の円柱状枢軸部５ａに装着されている前記仮想の蝶番矯正具１に対してモンキーレンチ４０ａを付け替える必要が生ずるため、蝶番矯正の作業能率が低下することとなる。因みに、対向する側面３１，３１が傾斜面３１ａ，３２ａを有する如く構成されていて前記遊び回転角度θが小さい蝶番矯正具１を用いる場合は、例えば図２１に示すように、該蝶番矯正具１に対してモンキーレンチ４０ａを付け替えなくてもハンドルの回転操作を所要に行うことが可能であって、所要の蝶番矯正作業を行い易い利点がある。
【実施例２】
【００６０】
図２２は、本発明に係る蝶番矯正具１の他の実施例を示すものであり、前記のような旗蝶番の第１型の蝶番３Ａと第２型の蝶番３Ｂを矯正できることに加えて、左右一対の蝶番部材５９，６５を枢軸１６を介して開閉可能に構成された金属製の普通蝶番３ｂを矯正できるようにも構成されている。以下、これをより具体的に説明する。
【００６１】
図２２〜２３は、該普通蝶番３ｂの一例を示すものであり、円柱状枢軸部５の外周面６に、該円柱状枢軸部５の上下長さに略等しい一対の固定フランジ部７，７が突設された構成を有している。より具体的には図２３に示すように、一方の蝶番部材５９を構成する固定フランジ部７の基端縁部６０の上下端部位と中央部位において、前記枢軸１６を挿通させるための円形状の軸受筒部６１，６２，６３が設けられている。又、他方の蝶番部材６５を構成する固定フランジ部７の基端縁部６６に、該上の軸受筒部６１と該中間の軸受筒部６３との間に挿入される軸受筒部６７と、該下端の軸受筒部６２と該中間の軸受筒部６３との間に挿入される軸受筒部６９が設けられている。そして図２３が示すように、これらの軸受筒部６１，６７，６３，６９，６２が一直線状に配置された状態で、前記枢軸１６が全ての軸受筒部内を挿通することにより前記円柱状枢軸部５が構成され、前記一対の蝶番部材５９，６５が開閉可能となされている。
【００６２】
かかる構成を有する普通蝶番３ｂの一方の蝶番部材５９の前記固定フランジ部７がドアの基端側面部１７にビス固定されると共に、他方の蝶番部材６５の前記固定フランジ部７がドア枠１８の側面部１９にビス固定されることにより、ドア２ａが開閉可能となされている。
【００６３】
かかる蝶番３を矯正するための蝶番矯正具１は、本実施例においては図２２（Ａ）、図２４に示すように、前記円柱状枢軸部５の長さよりも稍長い、六角柱状を呈する矯正具本体２２に、前記円柱状枢軸部５を挿通させ得る円形状挿通孔２３が該矯正具本体２２の軸線方向に貫設されている。そして図２２（Ａ）、図２４（Ａ）、図２５（Ａ）に示すように、前記矯正具本体２２に、該円形状挿通孔２３に連続する如く割り溝２５が設けられている。該割り溝２５は、前記２枚の固定フランジ部７，７が小間隔を置いて平行状態を呈する折り畳み状態の前記蝶番３（３ｂ）の該２枚の固定フランジ部７，７の基部側の部分７０を収容状態となし得る。
【００６４】
又、図２４に示すように、該割り溝２５の対向する側面３１，３２の夫々が、前記円形状挿通孔２３の半径方向で見た内端縁部３３から外端縁部３４に向けて該半径方向から離れる側方に傾斜する傾斜面３１ａ，３２ａとして形成されている。本実施例においては、該側面３１，３１が前記面２４（図５（Ｃ））を有さず、全体が傾斜面とされている。そして図２６（Ａ）が示すように、前記第１型の蝶番３Ａの前記円柱状枢軸部５を前記円形状挿通孔２３に挿通させた状態で、前記固定フランジ部７が前記傾斜面３１ａ，３２ａの略全体に当接し得るように構成されている。又図２６（Ｂ）が示すように、前記第２型の蝶番３Ｂの前記円柱状枢軸部５を前記円形状挿通孔２３に挿通させた状態で、前記固定フランジ部７の基部側の部分２０を前記割り溝２５に収容できるように構成されている。又、前記割り溝２５の対向する縁部分３５，３６が前記固定フランジ部７を押圧する押圧顎部３７，３９とされている。
【００６５】
そして本実施例においては、前記と同様にして、前記円形状挿通孔２３の中心２６が、六角形の対向する頂点２７ａ，２７ｂを結ぶ直線２９上に存する如く構成されると共に該中心２６が一方の頂点２７ａ側に向けて偏心しており、前記割り溝２５の中心３０が、前記対向する頂点２７ａ，２７ｂを結ぶ直線２９上に存するように構成されている。
【００６６】
かかる構成を有する蝶番矯正具１は、実施例１で説明したところと同様にして、前記第１型の蝶番３Ａ及び第２型の蝶番３Ｂの固定フランジ部７，７の曲り等の歪みを矯正できる（図９〜１０、図１６）ことに加え、図２５（Ａ）（Ｂ）に示すように、前記普通蝶番３ｂの矯正も可能である。該普通蝶番３ｂにあっては、先ず図２５（Ａ）に示すように、前記円形状挿通孔２３に前記円柱状枢軸部５を挿通状態とすると共に、前記２枚の固定フランジ部７，７の基部側の部分７０を前記割り溝２５に挿通状態とする。そして例えば図２５（Ｂ）に示すように、モンキーレンチ４０ａを時計回りに適宜回転させて一方の押圧顎部３７で該基部側の部分７０を所要に押圧し、該基部側の部分７０に対して前記固定フランジ部７の曲り方向とは逆方向に矯正トルクを与え、蝶番に生じた曲りを矯正する。或いは、前記モンキーレンチ４０ａを図２５（Ｃ）に示すように反時計回りに適宜回動させて他方の押圧顎部３９で該基部側の部分７０を所要に押圧し、該押圧顎部３９で該基部側の部分７０に対して前記曲り方向とは逆方向に矯正トルクを与え、蝶番に生じた曲りを矯正する。
【実施例３】
【００６７】
実施例１、実施例２で説明した蝶番矯正具１，１において、前記割り溝２５の対向する側面３１，３２の双方に前記傾斜面３１ａ，３２ａを設ける構成に代え、その内の一方の側面（例えば側面３１）にのみ傾斜面（例えば傾斜面３１ａ）を設ける構成を採用することもできる。その一実施例を、前記実施例１に係る蝶番矯正具１の変形態様に代表させて説明する。図２７〜２８は、前記第１型の蝶番３Ａの蝶番３Ａの歪みを矯正する蝶番矯正具１を示すものであり、正六角形柱状を呈する前記矯正具本体２２の有する前記割り溝２５の対向する側面３１，３２の一方の側面（例えば側面３１）にのみ前記と同様構成の傾斜面３１ａが設けられており、他方の側面３２は、前記正六角形の対向する頂点２７ａ，２７ｂを結ぶ前記直線２９と平行する面として構成されている。
【００６８】
図２８は、該１型の蝶番３Ａを構成する上側の蝶番部材１３に前記蝶番矯正具１を装着して該蝶番を矯正する場合を示すものであり、前記円形状挿通孔２３に前記円柱状枢軸部５が挿通されると共に前記固定フランジ部７の基部側の部分２０が前記割り溝２５に収容状態とされている。この実施例で、前記固定フランジ部７の曲りを矯正するために、前記モンキーレンチ４０ａを時計回りや反時計回りに回転させて蝶番矯正を行う。例えば右側の押圧顎部３７の前記傾斜面３１ａが前記固定フランジ部７の一方の表面５３に略面接触した状態で、該押圧顎部３７が該固定フランジ部７の基部側の部分２０に対して左方向に矯正トルクを与え、これによって該固定フランジ部７の曲がりを矯正する。
【００６９】
図２９は、前記第２型の蝶番３Ｂの歪みを前記蝶番矯正具１を用いて矯正するに際し、該第２型の蝶番３Ｂを構成する上側の蝶番部材１３に前記蝶番矯正具１を装着して該蝶番を矯正する場合を示すものであり、前記円形状挿通孔２３に前記円柱状枢軸部５が挿通されると共に前記固定フランジ部７の基部側の部分２０が前記割り溝２５に収容状態とされている。
【００７０】
この状態で、前記固定フランジ部７の曲がりを矯正するために、前記蝶番矯正具１を例えばモンキーレンチ４０ａを用いて時計回りや反時計回りに回転させて蝶番矯正を行う。この回転は、前記割り溝２５の対向する側縁部分としての押圧顎部３７，３９が、前記固定フランジ部７の一面５３又は他面５５に対して前記曲り方向とは逆方向に矯正トルクを与える如く行われる。
【００７１】
このように構成する場合も、前記割り溝２５の対向する側面３１，３２の内の一方である側面３１に前記傾斜面３１ａが設けられるため、前記遊び回転角度θを、該対向する側面３１，３２を前記半径方向と平行する面３１ｂ，３２ｂとして構成した場合（図１５）に比して小さくできる。従って、このように構成した場合も、図１７と図１８の比較に関して説明したところに準じて、前記第２型の蝶番３Ｂの蝶番矯正を作業性よく行うことができる。
【実施例４】
【００７２】
本発明は、前記実施例で示したものに限定されるものでは決してなく、「特許請求の範囲」の記載内で種々の設計変更が可能であることはいうまでもない。その一例を挙げれば次のようである。
【００７３】
(1) 図３０、図３１、図３２は、本発明に係る蝶番矯正具１のその他の実施例を示すものである。図３０の蝶番矯正具１は、前記矯正具本体２２が円柱状に構成されており、図３１の蝶番矯正具１は、前記矯正具本体２２が平面視で正方形状の四角柱状に構成されている。又図３２に示す蝶番矯正具１は、正六角形柱状を呈する前記矯正具本体２２に、該正六角形の一面７１側に稍偏心する如く円形状挿通孔２３が設けられ、該一面７１側で開口する如く割り溝２５が設けられている。その他の構成は、前記傾斜面が片方だけでもよいことも含めて、前記と同様である。図３０、図３１、図３２においては、前記円形状挿通孔２３の軸線が前記矯正具本体２２の軸線に対して稍偏心しているが、該円形状挿通孔２３の軸線と前記矯正具本体２２の軸線が合致してもよい。
【００７４】
(2) 前記蝶番矯正具１に設ける前記円形状挿通孔２３の径は、対象となる蝶番の円柱状枢軸部５の径の多少の変化に応じられるようにするため、該円柱状枢軸部５の径よりも若干余裕をみて設定するのがよい。
【００７５】
(3) 前記押圧顎部３７，３９の構成は、これが前記固定フランジ部７を押圧することによって前記蝶番３を所要に矯正できるものであれば前記したものには特定されない。図３３は、前記固定フランジ部７が前記傾斜面３１ａ又は前記傾斜面３２ａの略全体に当接するのではなく、該固定フランジ部７が該傾斜面３１ａ又は該傾斜面３２ａの内端部位７５に当接した状態を示している。或いは、該固定フランジ部７が該傾斜面３１ａ又は前記傾斜面３２ａの外端部位に当接することもある。このように構成した場合も、前記割り溝２５の前記両側面３１，３２が半径方向Ｆ１である場合に比し、前記割り溝２５の溝幅を極力小さく設定できる。又図３４は、前記傾斜面３１ａ，３２ａが円弧状の傾斜凸面７７として構成されており、同図においては、前記固定フランジ部７が該傾斜凸面７７の一部分７７ａに当接している。
【００７６】
(4) 図３５は、前記蝶番矯正具１を構成する前記矯正具本体２２の外周面部７８に、前記押圧顎部３７，３９に矯正トルクを与えるための操作杆８０を突設した場合の一例を示している。この場合、該操作杆８０の基端部分をネジ軸部８１に形成し、該ネジ軸部８１を該外周面部７８に設けたネジ孔８２に螺合することにより該操作杆８０を突設したり、溶接等により該操作杆を突設することができる。図３０〜３１に示す蝶番矯正具１には該操作杆８０を突設するのがよい。
【００７７】
(5) 本発明において略接線方向とは、厳密な接線方向を意味するものではなく、それに近い方向を意味している。例えば図３６に示すような、円柱状枢軸部５の外周面６の接点８３よりも稍内方に位置した部位での、接線８４と平行する方向Ｆ３も含まれる。同図においては、この略接線方向に固定フランジ部７が突設されている。
【００７８】
又、略半径方向とは、厳密な半径方向を意味するものではなく、例えば図３７に示すような、円柱状枢軸部５の中心から外方に稍偏位した部位での、半径方向Ｆ１と平行する方向Ｆ４も含まれる。同図においては、この略接線方向に固定フランジ部７が突設されている。
【００７９】
(6) 前記第１型の蝶番３Ａや前記第２型の蝶番３Ｂ、前記普通蝶番３ｂは、前記円柱状枢軸部５にコイルバネが内蔵されたスプリング蝶番として構成されることもある。該スプリング蝶番によるときは、その弾性力によりドア等の開閉部材を閉止方向に付勢できる。
【００８０】
(7) 前記蝶番の材質は、金属製であれば特に制限はなく、例えば鉄、ステンレス、チタン、アルミニウム等を挙げることができる
【００８１】
(8) 前記旗蝶番３ａの矯正に際して、前記蝶番矯正具１を該蝶番３ａに下側から装着する場合は、該蝶番矯正具１を片方の手で保持し且つ他方の手で該蝶番矯正具１を工具で回転操作することになるが、この場合、前記蝶番矯正具１と前記旗蝶番の下側の蝶番部材１５の下端８５との間に磁石を介在させることとすれば、該磁石８６の吸着力によって該蝶番矯正具１を吸着保持させることができる。
【００８２】
(9) 本発明に係る蝶番矯正具１は、前記したドアの蝶番の歪みを矯正するための他、建物等の構築物に付設されている各種の開閉部材の蝶番の歪みを矯正するために広く用いることができる。
【符号の説明】
【００８３】
１  蝶番矯正具
２  開閉部材
２ａ  ドア
３  蝶番
３ａ  旗蝶番
５  円柱状枢軸部
６  外周面
７  固定フランジ部
２０  基部側の部分
２２  矯正具本体
２３  円形状挿通孔
２５  割り溝
２６  中心
２７ａ  頂点
２７ｂ  頂点
２９  直線
３０  中心
３１  側面
３２  側面
３３  内端縁部
３５  外端縁部
３７  押圧顎部
３９  押圧顎部
４０  工具
４０ａ  モンキーレンチ
４１  レンチ部
４２  ハンドル
４３  固定顎部
４５  可動顎部
５３  一方の表面
５５  他方の表面
７０  基部側の部分
【図１】
2015134362.tif 000003
【図２】
2015134362.tif 000004
【図３】
2015134362.tif 000005
【図４】
2015134362.tif 000006
【図５】
2015134362.tif 000007
【図６】
2015134362.tif 000008
【図７】
2015134362.tif 000009
【図８】
2015134362.tif 000010
【図９】
2015134362.tif 000011
【図１０】
2015134362.tif 000012
【図１１】
2015134362.tif 000013
【図１２】
2015134362.tif 000014
【図１３】
2015134362.tif 000015
【図１４】
2015134362.tif 000016
【図１５】
2015134362.tif 000017
【図１６】
2015134362.tif 000018
【図１７】
2015134362.tif 000019
【図１８】
2015134362.tif 000020
【図１９】
2015134362.tif 000021
【図２０】
2015134362.tif 000022
【図２１】
2015134362.tif 000023
【図２２】
2015134362.tif 000024
【図２３】
2015134362.tif 000025
【図２４】
2015134362.tif 000026
【図２５】
2015134362.tif 000027
【図２６】
2015134362.tif 000028
【図２７】
2015134362.tif 000029
【図２８】
2015134362.tif 000030
【図２９】
2015134362.tif 000031
【図３０】
2015134362.tif 000032
【図３１】
2015134362.tif 000033
【図３２】
2015134362.tif 000034
【図３３】
2015134362.tif 000035
【図３４】
2015134362.tif 000036
【図３５】
2015134362.tif 000037
【図３６】
2015134362.tif 000038
【図３７】
2015134362.tif 000039
【図３８】
2015134362.tif 000040
【図３９】
2015134362.tif 000041
【図４０】
2015134362.tif 000042
【図４１】
2015134362.tif 000043
【図４２】
2015134362.tif 000044